(57)【要約】【課題】  サンゴの死滅する大きな原因であるオニヒトデやレイシガイダマシのような底生生物からサンゴを守り、サンゴの死滅を食い止める事は緊急に行わなければならない事です。【解決手段】  オニヒトデやレイシガイダマシ、ウニなどの底生生物は、空気中に露出すると死んだり弱ったりします。このため空気中への露出を嫌います。本発明は、空気滞留帯により底生生物の移動を防止して、サンゴや海藻の生息場所として海中に安全な場所を提供するものです。【選択図】図５
2011092171.tif 000002
【特許請求の範囲】
【請求項１】
空気滞留構造を持つ構造物の空気滞留帯５により食害底生生物の侵入を防止する事を特徴とするサンゴや海藻増殖における食害底生生物防御方法
【発明の詳細な説明】
【技術分野】
【０００１】  一生を水中で生活する生き物の多くは、体の仕組みの関係で空気中では呼吸や移動が妨げられます。特に底生生物は水中から空気中に出て移動するような行動は見られません。多くの貝も干出時は、貝殻の中に引きこもり乾燥等から身を守っています。
本発明は、空気を滞留する構造を備えた空気滞留帯５によりオニヒトデやウニ、貝等の食害底生生物をサンゴや海藻に近づけないようにするものです。空気滞留構造物（例１）（例２）（例３）の有する空気滞留帯５が、底生生物の移動を妨げてサンゴや海藻の生育を安全なものにします。【０００２】  本発明の特徴として２つの事が挙げられます。ひとつは、空気を満たした空気滞留帯５を食害底生生物の防御に利用する事です。従来、食害底生生物からの防御は網を使用するのが一般的です。
空気を満たした空気滞留帯５を人為的に造りだして食害生物の移動を阻止し防御する方法は、本発明が最初です。【０００３】  本発明のふたつめの特徴として、メンテナンスが楽だという事です。網ですと海藻やホヤ等の付着生物が時間の経過とともに付着して網目を潰して食害生物が網の上を通行できるようになります。そのため定期的にこれら付着生物を除去しなければなりせん。
しかし、空気中では海藻やホヤ等の付着生物は生活する事ができません。空気の満たされた空気滞留帯５には、海生生物が生存できないのです。メンテナンスとしては、水中に溶け出して少なくなっていく空気を空気滞留帯５に補充してやるだけで良いのです。
【背景技術】
【０００５】  本発明は、海底を這って移動する底生生物の食害からサンゴや海藻を完全に防御する方法を提供します。本発明により、オニヒトデやレイシガイダマシの食害により死滅していくサンゴやウニの食害により磯やけ起こしている場所の海藻を守る事ができます。
本発明は、空気滞留帯５を利用してオニヒトデやレイシガイダマシ、ウニなどの食害底生生物を防御してサンゴや海藻を守る方法を提供するものです。これまで、海底を這って移動するオニヒトデや貝、ウニなどの食害底生生物を防御する方法は網を使用する方法以外にはありませんでした。
【発明の開示】
【発明が解決しようとする課題】
【０００６】    オニヒトデの食害によりサンゴに多大の被害が出ています。このためオニヒトデを駆除してサンゴを守る活動が行われていますが、海という人間にとって厳しい環境のために効果はあまり上がっていません。また、駆除以外に網（特許公開２００５−４０１２１）や並行鉄線を使用したオニヒトデ返し（特許公開２００６−４２７６４）によりオニヒトデの移動を妨げサンゴを守る方法も考案されています。しかし、網に付着する海生生物によりオニヒトデの移動を妨げる効果が無くなってしまうために実際に実施されていません。
ウニの食害による海藻の磯やけも沿岸漁業の資源の減少をもたらしており、深刻な問題ですが有効な手立てが講じられていません。
【課題を解決するための手段】
【０００７】  本発明は、サンゴを食害するオニヒトデとレイシガイダマシの生理的な機能に着目して開発したものです。一生を海中で生活するオニヒトデやレイシガイダマシは、自ら進んで陸上の干上がるような場所へ行きません。もしこのような場所へ移動して行った場合は干潮時に体が干上がってしまい死んだり弱ったりしてしまいます。その証拠に干出する場所のサンゴは、オニヒトデやレイシガイダマシの食害により死滅しません。
本発明は、オニヒトデやレイシガイダマシは体が空気に曝されるのが弱点だというところに注目したものです。海中に人為的に空気の滞留場所を造り、この空気の滞留場所でオニヒトデやレイシガイダマシの移動を阻止するものです。
空気滞留帯５によってオニヒトデやレイシガイダマシの移動を阻止するので、網から抜けてしまうような小さな個体でも空気滞留帯５で移動を完全に阻止できます。
【発明の効果】
【０００８】  本発明により、これまで駆除以外に何ら効果的な方法の無かったオニヒトデやレイシガイダマシによるサンゴの食害を防ぐ事ができます。
本発明は、ウニの食害が原因の磯やけを防ぐ手段としても利用できます。
【発明を実施するための最良の形態】
【０００９】  空気滞留帯５を利用してオニヒトデやレイシガイダマシが移動するのを防いでしまえばサンゴの生育する場所を食害底生生物から完全に防御できます。これまで、移植したサンゴの生存率が悪い理由としてオニヒトデやレイシガイダマシによる食害がありました。本発明により移植サンゴをこれら底生生物の食害から完全に防ぐことができるので、サンゴ移植によるサンゴ礁復元に大きく寄与することが可能です。
また、砂地に点在するパッチリーフで本発明を実施すればオニヒトデやレイシガイダマシの食害を受けない場所を確保することができ、サンゴの生育場として良好な環境を人為的に創り出すことができるようになります。
さらに本発明を広範囲に実施することでサンゴ礁のかなりの面積でもサンゴが生育するのに良好な場所を確保することができます。【００１０】  本発明の特徴は、図２の空気滞留構造物（例１）が基本となるものです。空気滞留構造物（例１に図５の空気滞留帯５を造り、この空気滞留帯によりオニヒトデやレイシガイダマシの移動を阻止してしまうのです。
空気を苦手とするオニヒトデやレイシガイダマシは空気滞留帯５に達した途端に移動を中止しそこから先へは進むことができません。よって空気滞留構造物（例１）の上部にあるサンゴは、オニヒトデやレイシガイダマシの食害に合うことなく良好に生育することができます。
岩やパッチリーフにも図１０や図１２のような空気滞留構造物（例２）（例３）を造り、オニヒトデやレイシガイダマシの食害からサンゴを守る事ができます。
この空気滞留帯５は、あらゆる底生生物の移動を遮断できるので、ウニの食害による磯やけに防止にも実施が可能です。【００１１】  本発明は、オニヒトデのような棘皮動物やレイシガイダマシのような貝類が生理的に空気に曝されるのに弱いという事実に注目して生まれました。空気のある陸上へオニヒトデが自ら進んで這上がってくる事はありません。そこで海中に人工的な陸上環境となる空気滞留帯５を造ってオニヒトデから移植したサンゴを守るという本発明が生まれたのです。
本発明の特徴は、空気滞留帯５という擬似陸上環境を水中に人為的に造りだすことを特徴としています。【００１２】  本発明による空気滞留構造物（例１）（例２）（例３）は、空気を定期的に補充してやる以外にメンテナンスがほとんど必要ありません。
網などを使用すると、時とともに網に海藻や付着静物が繁茂してしまいオニヒトデ等の移動を容易にしてしまいます。ですから定期的な付着静物除去のメンテナンスが必要となります。
さらに網目をくぐり抜ける事ができる小さな個体でも空気滞留帯５を越えることはできません。食害底生静物からサンゴや海藻を完全に守ってやる事ができるのです。【００１３】  本発明は、空気を底生生物の移動障壁として使用するものです。空気を満たした空間による障壁は、本発明以外には例が無く画期的な方法です。本発明によって網目を抜けるような小さな底生生物の個体の移動をも防ぐ事ができるうえに、メンテナンスも空気の補充を行うだけで良く楽になります。
【実施例１】
【００１４】  図１のお碗を伏せたような空気滞留用天蓋１を支柱３でコンクリート土台２に固定した空気滞留構造物（例１）を作製します。空気滞留用天蓋１は直径１ｍで厚さは１ｃｍの強化プラスチック製です。空気滞留用天蓋１は直径１０ｃｍのステンレス製の支柱で縦、横、高さが１ｍのコンクリート製のコンクリート土台２に図１のように固定します。支柱３の長さは１ｍ２０ｃｍです。
この空気滞留用天蓋１の内部に図２のように空気を入れて蓄えます。これで空気滞留帯５が出来あがります。
図３は、空気を入れて空気滞留帯５の出来上がった空気滞留用天蓋１の透視図です。支柱２は空気を溜めた空気滞留帯５の中心になるように作製します。
図４は、空気滞留帯５の出来上がった空気滞留用天蓋１にサンゴ６を移植した様子を表した斜視図です。
オニヒトデやレイシガイダマシ等のサンゴを食害する底生生物は、空気滞留帯５が無い場合は、支柱３を登って空気滞留用天蓋１の裏側を通りサンゴ６を食害します。しかし空気の満たした空気滞留帯５があると支柱３の途中でこの空気滞留帯５に突き当たり先へ進む事ができません。このようにオニヒトデやレイシガイダマシの移動はこの空気滞留帯５で妨げられます。空気滞留用天蓋１の上方に植え込んだサンゴ６は、空気滞留帯５により食害される事が無いのです。
図５は、空気滞留構造物（例１）の断面図です。空気滞留用天蓋１の内部に空気を満たした空気滞留帯５を造った様子を示してあります。
【実施例２】  海中に単独に存在している岩７への本発明の空気滞留構造物（例２）を図６、図７、図８、図９、図１０で示しています。図７のように岩７の中間当たりに空気滞留帯５を造るための半球形の断面を持つ空気滞留構造物（例２）を取り付けます。空気滞留構造物（例２）は強化プラスチック製で形は、岩に合わせて作成します。半球形の空気滞留用天蓋１の直径は５０ｃｍぐらいで厚さは１ｃｍほどにします。空気滞留用天蓋１の内部にゴムシートを張って空気を逆Ｕ字型になった部分に蓄えられるようにします。空気滞留用天蓋１は水平に岩に７に取り付ける必要があります。斜めに取り付けると、空気は空気滞留帯５へうまく溜まらずに高い部分だけに溜まります。空気滞留帯５の低い部分は空気の滞留しない部分となります。空気の滞留しない部分は、オニヒトデやレイシガイダマシの通り道となり、岩７の上部にあるサンゴ６が食害されてしまいます。
図８は、空気４を空気滞留構造物（例２）に入れている斜視図です。図９は空気滞留帯５が出来上がった様子を示した透視図です。【０００１５】  図１０は、複数の岩７の周りに空気滞留構造物（例３）を設置してオニヒトデやレイシガイダマシ等の食害底生生物の移動を防ぐ方法の模式図です。
図１１が、空気滞留構造物（例３）の断面図です。土台はコンクリートで空気を滞留させる半球状の天蓋１は、強化プラスチック製で直径は５０ｃｍほどにします。天蓋１の内側にはゴムシートを張り、空気を蓄える事ができるようにします。天蓋１は、土台２にボルト８で固定します。
オニヒトデやレイシガイダマシ等の食害底生生物は、空気滞留帯５で移動が妨げられて岩７のサンゴを食べる事ができません。
【産業上の利用可能性】
【０００１６】  本発明は、空気が底生生物の弱点だという事実に着目して開発したものです。本発明によりサンゴや海藻の増殖を確実に行う事ができます。
サンゴはオニヒトデやレイシガイダマシによる食害によって死滅する場合が多くみられます。本発明の実施により、これら食害生物により死滅していくサンゴを守る事が可能になります。サンゴ礁の生物多様性や水産資源の保護に寄与する事ができる方法です。
本発明は、同様にウニの移動を防ぐ事ができるので、ウニの食害による磯焼けの防止を行えます。
【図面の簡単な説明】
【００１９】
【図１】空気滞留帯を持つ空気滞留構造物（例１）の斜視図です。
【図２】空気滞留帯へ空気を入れている斜視図です。
【図３】空気滞留構造物（例１）に空気滞留帯が出来上がった斜視図です。
【図４】空気滞留構造物（例１）へサンゴを植え込んだ斜視図です。
【図５】空気滞留構造物（例１）の断面図です。
【図６】サンゴの生育している岩の斜視図です。
【図７】サンゴの生育している岩へ空気滞留構造物（例２）を取り付けた斜視図です。
【図８】空気滞留構造物（例２）へ空気を入れている斜視図です。
【図９】空気滞留構造物（例２）へ空気滞留帯が出来上がった斜視図です。
【図１０】空気滞留構造物（例２）の断面図です。
【図１１】サンゴの生育する複数の岩の周りを空気滞留構造物（例３）により取り囲んでいる斜視図です。
【図１２】空気滞留構造物（例３）の断面図です。
【符号の説明】
【００２０】    １  空気滞留用天蓋                  ２  コンクリート土台
３  支柱                            ４  空気
５  空気滞留帯                      ６  サンゴ
７  岩                              ８  ボルト
９  壁
【図１】
2011092171.tif 000003
【図２】
2011092171.tif 000004
【図３】
2011092171.tif 000005
【図４】
2011092171.tif 000006
【図５】
2011092171.tif 000007
【図６】
2011092171.tif 000008
【図７】
2011092171.tif 000009
【図８】
2011092171.tif 000010
【図９】
2011092171.tif 000011
【図１０】
2011092171.tif 000012
【図１１】
2011092171.tif 000013
【図１２】
2011092171.tif 000014